(57)【特許請求の範囲】
【請求項１】
１台以上の蓄電装置と、前記蓄電装置の充電、放電を制御する制御装置との間の通信を中継する中継管理装置であって、
第１通信プロトコルを用いて前記制御装置と通信する第１通信部と、
第２通信プロトコルを用いて前記蓄電装置と通信する第２通信部と、
前記第１通信部が受信した信号に基づく信号を前記第２通信部から送信させ、前記第２通信部が受信した信号に基づく信号を前記第１通信部から送信させる中継制御部と、
２つ以上の蓄電装置からなるグループに対してグループ識別情報を設定するグループ設定、または個々の蓄電装置に対して個別識別情報を設定する個別設定を行う識別情報設定部とを備え、
前記第１通信部は、前記識別情報設定部による前記グループ識別情報、前記個別識別情報の設定結果を前記制御装置へ送信し、
前記中継制御部は、前記グループ識別情報または前記個別識別情報が付加された第１制御信号を前記第１通信部が受信した場合、前記第２通信部から前記グループ識別情報または前記個別識別情報に対応する蓄電装置へ、前記第１制御信号に基づく第２制御信号を送信させる
ことを特徴とする中継管理装置。
【請求項２】
前記グループを構成する蓄電装置の台数が変更された場合、前記第２通信部は、前記グループを構成する蓄電装置のそれぞれから蓄電の容量に関する情報である容量情報を取得し、前記中継制御部は、前記グループを構成する蓄電装置のそれぞれの容量の合計を前記グループの容量情報として、前記第１通信部から前記制御装置へ送信させることを特徴とする請求項１記載の中継管理装置。
【請求項３】
前記グループを構成する複数の蓄電装置のそれぞれに指示する制御内容を設定する制御設定部をさらに備えることを特徴とする請求項１または２記載の中継管理装置。
【請求項４】
前記グループ識別情報が付加された第１制御信号を前記第１通信部が受信した場合、前記制御設定部は、前記第１制御信号に基づいて、前記グループを構成する複数の蓄電装置のそれぞれに指示する制御内容を設定し、
前記中継制御部は、前記グループを構成する複数の蓄電装置のそれぞれに対して前記制御内容を指示する第２制御信号を前記第２通信部から送信させる
ことを特徴とする請求項３記載の中継管理装置。
【請求項５】
前記第１制御信号によって第１放電電力量の放電が前記グループに対して指示される場合、前記制御設定部は、前記第１放電電力量を分割して前記グループを構成する複数の蓄電装置のそれぞれに配分した第２放電電力量の放電を、前記グループを構成する複数の蓄電装置のそれぞれに指示する制御内容として設定することを特徴とする請求項４記載の中継管理装置。
【請求項６】
前記制御設定部は、前記グループを構成する複数の蓄電装置の台数で前記第１放電電力量を除した値を、前記グループを構成する複数の蓄電装置のそれぞれに対応する前記第２放電電力量とすることを特徴とする請求項５記載の中継管理装置。
【請求項７】
前記制御設定部は、前記グループを構成する複数の蓄電装置のそれぞれの優先順位に基づいて、前記グループを構成する複数の蓄電装置のそれぞれに対応する前記第２放電電力量を設定することを特徴とする請求項５記載の中継管理装置。
【請求項８】
前記第２通信部が前記蓄電装置から取得した当該蓄電装置に関する情報を表示する表示部をさらに備えることを特徴とする請求項１乃至７のいずれか一項に記載の中継管理装置。
【請求項９】
前記第２通信部からテスト用の制御信号を送信させて前記蓄電装置のテスト動作を行うテスト部をさらに備え、
前記表示部は、前記テスト動作の結果を表示する
ことを特徴とする請求項８記載の中継管理装置。
【請求項１０】
１台以上の蓄電装置と、前記蓄電装置の充電、放電を制御する制御装置と、前記蓄電装置と前記制御装置との間の通信を中継する中継管理装置とを備えて、
前記中継管理装置は、
第１通信プロトコルを用いて前記制御装置と通信する第１通信部と、
第２通信プロトコルを用いて前記蓄電装置と通信する第２通信部と、
前記第１通信部が受信した信号に基づく信号を前記第２通信部から送信させ、前記第２通信部が受信した信号に基づく信号を前記第１通信部から送信させる中継制御部と、
２つ以上の蓄電装置からなるグループに対してグループ識別情報を設定するグループ設定、または個々の蓄電装置に対して個別識別情報を設定する個別設定を行う識別情報設定部とを備え、
前記第１通信部は、前記識別情報設定部による前記グループ識別情報、前記個別識別情報の設定結果を前記制御装置へ送信し、
前記制御装置は、前記グループ識別情報、前記個別識別情報の設定結果を保持して、前記グループ識別情報または前記個別識別情報を付加した信号を送信することで、前記中継管理装置を介して前記蓄電装置との間で通信を行う
ことを特徴とする蓄電システム。
【発明の詳細な説明】
【技術分野】
【０００１】
本発明は、一般に中継管理装置、蓄電システムに関し、より詳細には制御装置と蓄電装置との間の通信を中継する中継管理装置、蓄電システムに関する。
【背景技術】
【０００２】
従来、需要家施設に蓄電装置を備えて、蓄電装置から負荷へ電力を供給する電力供給システムがある。蓄電装置は、商用電力などを用いて充電されており、たとえば、特許文献１では、充電制御部が、蓄電装置の充電を制御している。具体的に、充電制御部は、災害の発生予報の情報を取得すると、蓄電池の電荷量を定常時よりも増加させるように充電制御を行う。
【先行技術文献】
【特許文献】
【０００３】
【特許文献１】特開２００９−１４８０７０号公報
【発明の概要】
【発明が解決しようとする課題】
【０００４】
従来、複数の蓄電装置があった場合、充電制御部は蓄電装置毎に個別に制御を行っていた。この場合、複数の蓄電装置の制御に要する負担が大きくなって、複数の蓄電装置に対する制御を簡易に行うことができなかった。一方、個別制御を行いたいとの要望も、依然としてある。
【０００５】
すなわち、複数の蓄電装置がある場合に、蓄電装置の制御形態をフレキシブルに選択できて、蓄電装置の制御の利便性を向上させることができる中継管理装置、蓄電システムを提供することにある。
【課題を解決するための手段】
【０００６】
本発明の中継管理装置は、１台以上の蓄電装置と、前記蓄電装置の充電、放電を制御する制御装置との間の通信を中継する中継管理装置であって、第１通信プロトコルを用いて前記制御装置と通信する第１通信部と、第２通信プロトコルを用いて前記蓄電装置と通信する第２通信部と、前記第１通信部が受信した信号に基づく信号を前記第２通信部から送信させ、前記第２通信部が受信した信号に基づく信号を前記第１通信部から送信させる中継制御部と、２つ以上の蓄電装置からなるグループに対してグループ識別情報を設定するグループ設定、または個々の蓄電装置に対して個別識別情報を設定する個別設定を行う識別情報設定部とを備え、前記第１通信部は、前記識別情報設定部による前記グループ識別情報、前記個別識別情報の設定結果を前記制御装置へ送信し、前記中継制御部は、前記グループ識別情報または前記個別識別情報が付加された第１制御信号を前記第１通信部が受信した場合、前記第２通信部から前記グループ識別情報または前記個別識別情報に対応する蓄電装置へ、前記第１制御信号に基づく第２制御信号を送信させることを特徴とする。
【０００７】
本発明の蓄電システムは、１台以上の蓄電装置と、前記蓄電装置の充電、放電を制御する制御装置と、前記蓄電装置と前記制御装置との間の通信を中継する中継管理装置とを備えて、前記中継管理装置は、第１通信プロトコルを用いて前記制御装置と通信する第１通信部と、第２通信プロトコルを用いて前記蓄電装置と通信する第２通信部と、前記第１通信部が受信した信号に基づく信号を前記第２通信部から送信させ、前記第２通信部が受信した信号に基づく信号を前記第１通信部から送信させる中継制御部と、２つ以上の蓄電装置からなるグループに対してグループ識別情報を設定するグループ設定、または個々の蓄電装置に対して個別識別情報を設定する個別設定を行う識別情報設定部とを備え、前記第１通信部は、前記識別情報設定部による前記グループ識別情報、前記個別識別情報の設定結果を前記制御装置へ送信し、前記制御装置は、前記グループ識別情報、前記個別識別情報の設定結果を保持して、前記グループ識別情報または前記個別識別情報を付加した信号を送信することで、前記中継管理装置を介して前記蓄電装置との間で通信を行うことを特徴とする。
【発明の効果】
【０００８】
以上説明したように、本発明では、複数の蓄電装置がある場合に、蓄電装置の制御形態をフレキシブルに選択できて、蓄電装置の制御の利便性を向上させることができるという効果がある。
【図面の簡単な説明】
【０００９】
【図１】実施形態１の中継管理装置が用いられる蓄電システムの構成を示すブロック図である。
【図２】実施形態２の中継管理装置が用いられる蓄電システムの構成を示すブロック図である。
【図３】実施形態３の中継管理装置が用いられる蓄電システムの構成を示すブロック図である。
【発明を実施するための形態】
【００１０】
以下、本発明の実施の形態を図面に基づいて説明する。
【００１１】
（実施形態１）
図１は、蓄電システムＡ１の全体構成を示す。蓄電システムＡ１は、制御装置１、中継管理装置２、複数の蓄電装置３を主構成として備えており、分電盤４を介して負荷５へ電力を供給している。複数の蓄電装置３のそれぞれを区別する場合、蓄電装置３１，３２，３３．．．の符号を用いる。なお、図１において、構成要素間の実線は電力経路を示し、構成要素間の一点鎖線は通信経路を示す。また、本実施形態では戸建ての住戸に蓄電システムＡ１を適用した形態について説明するが、集合住宅や事業所などの需要家施設に蓄電システムＡ１を適用してもよい。
【００１２】
分電盤４は、商用電源８から電力系統Ｌ１を介して交流電力（商用電力）を供給され、蓄電装置３から交流電力（放電電力）を供給される。そして、分電盤４は、主幹ブレーカおよび複数の分岐ブレーカ、開閉器等を盤内に備えている。分電盤４は、複数の分岐ブレーカのそれぞれの負荷側にて分岐した複数系統の分岐回路Ｌ２を介して負荷５に交流電力を供給する。なお、負荷５は、分岐回路にそれぞれ接続された照明装置、空調装置、情報機器などの電気機器である。
【００１３】
蓄電装置３は、パワーコンディショナ３ａ、蓄電池３ｂを備える。
【００１４】
パワーコンディショナ３ａは、蓄電池３ｂの充電および放電を行う機能を有している。具体的に、パワーコンディショナ３ａは、分電盤４から供給される交流電力を直流電力に変換して、蓄電池３ｂを充電する。また、パワーコンディショナ３ａは、蓄電池３ｂから供給される直流電力を交流電力（放電電力）に変換して分電盤４へ供給し、蓄電池３ｂを放電させる。放電電力は、分電盤４を通って電力系統Ｌ１に供給され、分電盤４から分岐回路Ｌ２を通って負荷５へ供給される。さらに、パワーコンディショナ３ａは、電力系統Ｌ１との系統連系が可能となるように、出力する放電電力の周波数および出力電圧を調節する機能を有している。
【００１５】
そして、パワーコンディショナ３ａは、中継管理装置２を介して制御装置１との間で通信可能に構成されている。制御装置１は、中継管理装置２を介してパワーコンディショナ３ａと通信することで、蓄電装置３の監視、制御を行うことができる。以下、制御装置１が中継管理装置２を介して行う蓄電装置３の監視、制御について、詳述する。
【００１６】
まず、制御装置１と中継管理装置２との間の通信に用いられる通信プロトコルには、たとえば、ECHONET Lite（登録商標）の規格などが用いられる。この制御装置１と中継管理装置２との間の通信で用いられる通信プロトコルを、以降、第１通信プロトコルとするが、その具体的な通信プロトコルは限定されない。
【００１７】
また、中継管理装置２とパワーコンディショナ３ａとの間の通信に用いられる通信プロトコルは、たとえば、Ｍｏｄｂｕｓ（登録商標）の規格などが用いられる。この中継管理装置２とパワーコンディショナ３ａとの間の通信で用いられる通信プロトコルを、以降、第２通信プロトコルとするが、その具体的な通信プロトコルは限定されない。但し、本実施形態においては、第１通信プロトコルと第２通信プロトコルとは、互いに異なる通信プロトコルである。なお、第１通信プロトコルと第２通信プロトコルとは、同じ通信プロトコルであってもよい。
【００１８】
また、制御装置１と中継管理装置２との間の通信方式は、電波を伝送媒体とする無線通信、専用線あるいは電力線を伝送媒体とする有線通信などから選択される。また、中継管理装置２とパワーコンディショナ３ａとの間の通信方式も、電波を伝送媒体とする無線通信、専用線あるいは電力線を伝送媒体とする有線通信などから選択される。
【００１９】
そして、中継管理装置２は、制御装置１とパワーコンディショナ３ａ（蓄電装置３）との間の通信を中継する。中継管理装置２は、第１通信部２ａと、第２通信部２ｂと、中継制御部２ｃと、識別情報設定部２ｄと、操作部２ｅと、表示部２ｆと、記憶部２ｇと、テスト部２ｈとを備える。
【００２０】
第１通信部２ａは、第１通信プロトコルを用いて制御装置１と通信する機能を有している。
【００２１】
第２通信部２ｂは、第２通信プロトコルを用いてパワーコンディショナ３ａ（蓄電装置３）と通信する機能を有している。
【００２２】
中継制御部２ｃは、第１通信部２ａが信号を受信した場合、この受信された信号に基づく信号を第２通信部２ｂから送信させ、第２通信部２ｂが信号を受信した場合、この受信された信号に基づく信号を第１通信部２ａから送信させる。すなわち、中継制御部２ｃは、第１通信プロトコルを用いる制御装置１と第２通信プロトコルを用いる蓄電装置３との間の中継処理を制御する。この結果、制御装置１が第１通信プロトコルを用いて送信した信号に基づいて、中継管理装置２から蓄電装置３へ第２通信プロトコルの信号が送信される。また、蓄電装置３が第２通信プロトコルを用いて送信した信号に基づいて、中継管理装置２から制御装置１へ第１通信プロトコルの信号が送信される。
【００２３】
識別情報設定部２ｄは、個々の蓄電装置３に対して個別識別情報を設定する個別設定、または２つ以上の蓄電装置３からなる１つ以上のグループに対してグループ識別情報を設定するグループ設定を行う。
【００２４】
この個別設定およびグループ設定は、操作部２ｅのユーザ操作によって行われる。操作部２ｅは、たとえば押しボタンスイッチ、スライドスイッチなどを備える。さらに、表示部２ｆは、操作部２ｅによる設定経過、設定結果などを表示する７セグメントディスプレイ（Seven Segment Display）の表示ユニットを備える。なお、表示部２ｆがたとえばタッチパネル型のディスプレイである場合には、表示部２ｆが操作部２ｅを兼用してもよい。
【００２５】
まず、識別情報設定部２ｄは、装置情報の取得要求を第２通信部２ｂにブロードキャストさせて、蓄電装置３のそれぞれから返信される装置情報を取得する。装置情報は、蓄電装置３のそれぞれに予め固有に割り付けられているＭＡＣアドレスなどである。識別情報設定部２ｄは、操作部２ｅのユーザ操作に応じて、蓄電装置３のそれぞれの装置情報に識別情報を割り付ける。識別情報設定部２ｄは、蓄電装置３の装置情報に識別情報を対応付けて、不揮発性のメモリである記憶部２ｇに格納する。すなわち、記憶部２ｇには、蓄電装置３毎に、装置情報と識別情報との対応関係が記憶される。本実施形態では、蓄電装置３１，３２，３３．．．のそれぞれの装置情報を「Ｍ１」，「Ｍ２」，「Ｍ３」．．．とする。
【００２６】
たとえば、識別情報設定部２ｄは、蓄電装置３１，３２，３３のそれぞれを個別設定する場合、蓄電装置３１の装置情報「Ｍ１」に個別識別情報「Ｘ１」を割り付け、蓄電装置３２の装置情報「Ｍ２」に個別識別情報「Ｘ２」を割り付け、蓄電装置３３の装置情報「Ｍ３」に個別識別情報「Ｘ３」を割り付ける。この場合、記憶部２ｇには、表１に示す装置情報と識別情報との対応関係が記憶される。
【００２７】
【表１】
0006516156.tif 000002
【００２８】
そして、識別情報設定部２ｄは、識別情報の設定結果として、割付済の個別識別情報「Ｘ１」、「Ｘ２」、「Ｘ３」のデータを制御装置１へ送信する。制御装置１は、識別情報の設定結果をメモリに記憶（保持）して、制御対象となる個々の蓄電装置３に設定された個別識別情報「Ｘ１」、「Ｘ２」、「Ｘ３」を知ることができる。すなわち、制御装置１は、個別識別情報が設定された個々の蓄電装置３を１つの制御対象であると認識する。
【００２９】
識別情報設定部２ｄが蓄電装置３１，３２，３３のそれぞれを個別設定した場合、制御装置１は、個別識別情報「Ｘ１」、「Ｘ２」、「Ｘ３」のそれぞれを用いて、蓄電装置３１、３２、３３のそれぞれを個別に制御することができる。
【００３０】
たとえば、制御装置１が、個別識別情報「Ｘ１」が付加された制御信号、個別識別情報「Ｘ２」が付加された制御信号、個別識別情報「Ｘ３」が付加された制御信号をそれぞれ、第１通信プロトコルを用いて送信する。制御信号は、蓄電装置３に対して制御内容を指示する信号である。制御内容としては、たとえば「充電」、「放電」、「監視」などがある。制御内容「充電」は、蓄電池３ｂの充電を指示する。制御内容「放電」は、蓄電池３ｂの放電を指示する。制御内容「監視」は、蓄電池３ｂの定格容量、残容量、充電電流、放電電流などの蓄電池情報の返信を指示する。なお、制御装置１が第１通信プロトコルを用いて送信する制御信号を、以降、第１制御信号と呼ぶ。
【００３１】
中継管理装置２では、制御装置１から送信された第１制御信号を、第１通信部２ａが受信する。中継制御部２ｃは、記憶部２ｇを参照して、第１制御信号に付加された個別識別情報に対応する装置情報を認識し、この認識した装置情報に対応する蓄電装置３を制御対象とする制御信号を、第２通信部２ｂから送信させる。第２通信部２ｂが送信する制御信号には、蓄電装置３に対して指示する制御内容が含まれており、この制御内容は、受信された第１制御信号に含まれる制御内容と同じである。
【００３２】
この場合、第２通信部２ｂは、装置情報「Ｍ１」が付加された制御信号、装置情報「Ｍ２」が付加された制御信号、装置情報「Ｍ３」が付加された制御信号をそれぞれ、第２通信プロトコルを用いて送信する。なお、中継管理装置２（第２通信部２ｂ）が第２通信プロトコルを用いて送信する制御信号を、以降、第２制御信号と呼ぶ。
【００３３】
蓄電装置３のパワーコンディショナ３ａは、第２制御信号に付加された装置情報が自装置の装置情報と一致すれば、この第２制御信号を受信する。パワーコンディショナ３ａは、受信した第２制御信号によって指示される制御内容を実行する。この場合、蓄電装置３１のパワーコンディショナ３ａは、装置情報「Ｍ１」が付加された第２制御信号を受信する。また、蓄電装置３２のパワーコンディショナ３ａは、装置情報「Ｍ２」が付加された第２制御信号を受信する。また、蓄電装置３３のパワーコンディショナ３ａは、装置情報「Ｍ３」が付加された第２制御信号を受信する。蓄電装置３１，３２，３３の各パワーコンディショナ３ａは、受信した第２制御信号に基づいて、「充電」または「放電」または「監視」の制御内容を実行する。
【００３４】
パワーコンディショナ３ａは、制御内容が「充電」である場合、蓄電池３ｂを充電制御する。また、パワーコンディショナ３ａは、制御内容が「放電」である場合、蓄電池３ｂを放電制御する。
【００３５】
また、パワーコンディショナ３ａは、制御内容が「監視」である場合、蓄電池情報を含む監視信号を、第２通信プロトコルを用いて送信する。
【００３６】
中継管理装置２では、パワーコンディショナ３ａから送信された監視信号を、第２通信部２ｂが受信する。中継制御部２ｃは、監視信号の送信元が蓄電装置３１であれば、個別識別情報「Ｘ１」に対応する監視信号であると認識できる。そこで、中継制御部２ｃは、蓄電装置３１の蓄電池情報を含む監視信号を第１通信部２ａから送信させる。この場合、第１通信部２ａは、蓄電装置３１の蓄電池情報、および蓄電装置３１の個別識別情報「Ｘ１」を含む監視信号を第１通信プロトコルを用いて送信する。
【００３７】
なお、中継管理装置２（第１通信部２ａ）が第１通信プロトコルを用いて送信する監視信号を、以降、第１監視信号と呼ぶ。また、パワーコンディショナ３ａが第２通信プロトコルを用いて送信する監視信号を、以降、第２監視信号と呼ぶ。
【００３８】
制御装置１は、第１監視信号を受信し、第１監視信号に含まれる蓄電池情報を用いて以降の蓄電装置３１の充電制御、放電制御を指示することができる。なお、個別識別情報「Ｘ２」，「Ｘ３」が割り付けられた蓄電装置３２，３３が送信する第２監視信号についても、中継管理装置２において上記同様に中継処理される。
【００３９】
また、識別情報設定部２ｄは、蓄電装置３１，３２，３３をグループ設定する場合、蓄電装置３１，３２，３３で構成されるグループに対してグループ識別情報「Ｇ１」を割り付ける。この場合、記憶部２ｇには、表２に示す装置情報と識別情報との対応関係が記憶される。
【００４０】
【表２】
0006516156.tif 000003
【００４１】
そして、識別情報設定部２ｄは、識別情報の設定結果として、割付済のグループ識別情報「Ｇ１」のデータを制御装置１へ送信する。制御装置１は、識別情報の設定結果をメモリに記憶（保持）して、制御対象となるグループに設定されたグループ識別情報「Ｇ１」を知ることができる。すなわち、制御装置１は、グループ識別情報が設定された個々のグループを１つの制御対象であると認識する。したがって、制御装置１は、グループ識別情報「Ｇ１」が設定されたグループを制御対象とする１つの第１制御信号を送信することによって、グループ内の蓄電装置３１、３２，３３を一括して制御することができる。
【００４２】
たとえば、制御装置１が、グループ識別情報「Ｇ１」が付加された第１制御信号を送信する。
【００４３】
中継管理装置２では、制御装置１から送信された第１制御信号を、第１通信部２ａが受信する。中継制御部２ｃは、記憶部２ｇを参照して、第１制御信号に付加されたグループ識別情報「Ｇ１」に対応する装置情報「Ｍ１，「Ｍ２」，「Ｍ３」を認識し、この認識した装置情報のそれぞれを付加した第２制御信号を、第２通信部２ｂから送信させる。この場合、第２通信部２ｂは、装置情報「Ｍ１」が付加された第２制御信号、装置情報「Ｍ２」が付加された第２制御信号、装置情報「Ｍ３」が付加された第２制御信号をそれぞれ送信する。蓄電装置３１，３２，３３の各パワーコンディショナ３ａは、受信した第２制御信号に基づいて、「充電」または「放電」または「監視」の制御内容を実行する。
【００４４】
パワーコンディショナ３ａは、制御内容が「充電」である場合、蓄電池３ｂを充電制御する。また、パワーコンディショナ３ａは、制御内容が「放電」である場合、蓄電池３ｂを放電制御する。
【００４５】
また、パワーコンディショナ３ａは、制御内容が「監視」である場合、蓄電池情報を含む第２監視信号を送信する。
【００４６】
中継管理装置２では、蓄電装置３１，３２，３３の各パワーコンディショナ３ａから送信された第２監視信号を、第２通信部２ｂが受信する。中継制御部２ｃは、第２監視信号の送信元が蓄電装置３１，３２，３３のいずれかであるので、グループ識別情報「Ｇ１」のグループから送信された第２監視信号であると認識できる。そこで、中継制御部２ｃは、蓄電装置３１，３２，３３のそれぞれの蓄電池情報（定格容量、残容量、充電電流、放電電流など）を１つの蓄電池情報にまとめて、この蓄電池情報を含む第１監視信号を第１通信部２ａから送信させる。ここで、蓄電池情報のうち、定格容量、残容量が容量情報に相当する。
【００４７】
具体的に、中継制御部２ｃは、蓄電装置３１，３２，３３のそれぞれの定格容量の合計値、残容量の合計値、充電電流の合計値、放電電流の合計値を１つの蓄電池情報とする。そして、中継制御部２ｃは、この１つにまとめた蓄電池情報、およびグループ識別情報「Ｇ１」を付加した第１監視信号を第１通信部２ａから送信させる。すなわち、中継管理装置２は、グループ単位での蓄電池情報を制御装置１へ送信する。
【００４８】
制御装置１は、第１監視信号を受信し、第１監視信号に含まれる蓄電池情報を用いて、グループ単位での充電制御、放電制御を指示することができる。
【００４９】
また、識別情報設定部２ｄによる設定処理によって、同一グループ内の蓄電装置３の台数が増減した（変更された）とする。この場合、第２通信部２ｂは、蓄電装置３が増減したグループを構成する蓄電装置３のそれぞれから蓄電池情報を取得する。そして、中継制御部２ｃは、複数の蓄電装置３の蓄電池情報を上述のように１つの蓄電池情報にまとめて、この蓄電池情報、グループ識別情報を付加した第１監視信号を第１通信部２ａから送信させる。
【００５０】
したがって、制御装置１は、蓄電装置３が増減したグループの蓄電池情報を更新できるので、グループ単位での充電制御、放電制御の指示を適切に行うことができる。
【００５１】
また、識別情報設定部２ｄは、複数の蓄電装置３に対して、一部の蓄電装置３を個別設定し、他の蓄電装置３をグループ設定することも可能である。さらに、識別情報設定部２ｄは、グループ設定によって、複数のグループを作成することもできる。
【００５２】
また、制御装置１は、需要家施設に設置された電力の遠隔検針用のスマートメータ、またはルータ、ホームゲートウェイなどを介してインターネットなどを含む広域ネットワーク１００に接続している。そして、制御装置１は、広域ネットワーク１００上の上位サーバ２００との間で通信することができる。上位サーバ２００は、電力会社またはアグリゲータ（Aggregator）などによって管理されている。電力会社またはアグリゲータは、電力系統Ｌ１の商用電力の需給バランスに基づいて、上位サーバ２００から需要家施設の制御装置１に対して各種の要請を送信させる。制御装置１は、上位サーバ２００からの要請に基づいて蓄電装置３の制御内容を決定し、蓄電装置３に対して制御信号を送信することができる。
【００５３】
制御装置１から送信される第１制御信号が指示する制御内容は、上述の「充電」、「放電」、「監視」以外に、運転モードであってもよい。運転モードには、蓄電優先モード、経済優先モードなどがある。蓄電優先モードは、蓄電池３ｂを常に満充電の状態に維持する動作モードである。経済優先モードは、料金単価が安い深夜電力を用いて蓄電池３ｂを充電し、昼間は蓄電池３ｂの放電電力を用いて商用電力の消費量を抑える動作モードである。中継管理装置２は、運転モードを指示する第１制御信号を、運転モードを指示する第２制御信号に変換して、制御対象となる蓄電装置３へ送信する。蓄電装置３のパワーコンディショナ３ａは、指示された動作モードで蓄電池３ｂを充電制御、放電制御する。
【００５４】
上述のように、中継管理装置２は、１台以上の蓄電装置３と、蓄電装置３の充電、放電を制御する制御装置１との間の通信を中継する。そして、中継管理装置２は、第１通信部２ａと、第２通信部２ｂと、中継制御部２ｃと、識別情報設定部２ｄとを備える。第１通信部２ａは、第１通信プロトコルを用いて制御装置１と通信する。第２通信部２ｂは、第２通信プロトコルを用いて蓄電装置３と通信する。中継制御部２ｃは、第１通信部２ａが受信した信号に基づく信号を第２通信部２ｂから送信させ、第２通信部２ｂが受信した信号に基づく信号を第１通信部２ａから送信させる。識別情報設定部２ｄは、２つ以上の蓄電装置３からなるグループに対してグループ識別情報を設定するグループ設定、または個々の蓄電装置３に対して個別識別情報を設定する個別設定を行う。そして、第１通信部２ａは、識別情報設定部２ｄによるグループ識別情報、個別識別情報の設定結果を制御装置１へ送信する。さらに、グループ識別情報または個別識別情報が付加された第１制御信号を第１通信部２ａが受信したとする。この場合、中継制御部２ｃは、第２通信部２ｂからグループ識別情報または個別識別情報に対応する蓄電装置３へ、第１制御信号に基づく第２制御信号を送信させる。
【００５５】
すなわち、中継管理装置２では、識別情報設定部２ｄが、個々の蓄電装置３に対して個別識別情報を設定する個別設定だけでなく、２つ以上の蓄電装置３からなるグループに対してグループ識別情報を設定するグループ設定を行うことができる。そして、中継管理装置２は、識別情報設定部２ｄによるグループ識別情報、個別識別情報の設定結果を制御装置１へ送信する。したがって、制御装置１は、グループ識別情報が設定された個々のグループを１つの制御対象であると認識でき、個別識別情報が設定された個々の蓄電装置３を１つの制御対象であると認識できる。この結果、制御装置１は、同一グループ内の複数の蓄電装置３を制御する場合に、グループ識別情報を付加した１つの第１制御信号を送信することで、グループ内の複数の蓄電装置３を制御することができる。また、制御装置１は、個別識別情報を付加した第１制御信号を蓄電装置３毎に送信することで、蓄電装置３を個別制御することができる。したがって、中継管理装置２が用いられることによって、複数の蓄電装置３がある場合に、蓄電装置３の制御形態をフレキシブルに選択できて、蓄電装置３の制御の利便性を向上させることができる。
【００５６】
中継管理装置２は、蓄電池３ｂおよび蓄電池３ｂの充電、放電を行うパワーコンディショナ３ａを備えることが好ましい。
【００５７】
また、上述の蓄電システムＡ１は、１台以上の蓄電装置３と、制御装置１と、中継管理装置２とを備える。制御装置１は、蓄電装置３の充電、放電を制御する。中継管理装置２は、蓄電装置３と制御装置１との間の通信を中継する。
【００５８】
そして、中継管理装置２は、第１通信部２ａと、第２通信部２ｂと、中継制御部２ｃと、識別情報設定部２ｄとを備える。第１通信部２ａは、第１通信プロトコルを用いて制御装置１と通信する。第２通信部２ｂは、第２通信プロトコルを用いて蓄電装置３と通信する。中継制御部２ｃは、第１通信部２ａが受信した信号に基づく信号を第２通信部２ｂから送信させ、第２通信部２ｂが受信した信号に基づく信号を第１通信部２ａから送信させる。識別情報設定部２ｄは、２つ以上の蓄電装置３からなるグループに対してグループ識別情報を設定するグループ設定、または個々の蓄電装置３に対して個別識別情報を設定する個別設定を行う。そして、第１通信部２ａは、識別情報設定部２ｄによるグループ識別情報、個別識別情報の設定結果を制御装置１へ送信する。制御装置１は、グループ識別情報、個別識別情報の設定結果を保持して、グループ識別情報または個別識別情報を付加した信号を送信することで、中継管理装置２を介して蓄電装置３との間で通信を行う。
【００５９】
したがって、蓄電システムＡ１では、複数の蓄電装置３がある場合に、蓄電装置３の制御形態をフレキシブルに選択できて、蓄電装置３の制御の利便性を向上させることができる。
【００６０】
また、グループを構成する蓄電装置３の台数が変更されたとする。この場合、第２通信部２ｂは、グループを構成する蓄電装置３のそれぞれから蓄電の容量に関する情報である容量情報を取得することが好ましい。そして、中継制御部２ｃは、グループを構成する蓄電装置３のそれぞれの容量の合計をグループの容量情報として、第１通信部２ａから制御装置１へ送信させる。
【００６１】
この場合、制御装置１は、蓄電装置３の台数が増減したグループの容量情報を容易に更新できる。したがって、グループ内の蓄電装置３の台数が増減した場合でも、制御装置１は、グループ単位での充電制御、放電制御の指示を適切に行うことができる。
【００６２】
次に、テスト部２ｈによるテスト動作について説明する。
【００６３】
まず、テスト部２ｈは、操作部２ｅのユーザ操作によって、第２通信部２ｂからテスト用の第２制御信号（以降、テスト信号と呼ぶ）を送信させる。操作部２ｅの操作によって個々の蓄電装置３、または２つ以上の蓄電装置３からなるグループがテスト対象として選択され、テスト部２ｈは、テスト対象に対して特定の制御内容を指示するテスト信号を、操作部２ｅの操作に応じて第２通信部２ｂから送信させる。テスト信号を受信した蓄電装置３のパワーコンディショナ３ａは、テスト信号に基づいて、指示された制御内容を実行し、実行結果を中継管理装置２へ送信する。中継管理装置２では、表示部２ｆが実行結果を表示することで、ユーザは、テスト信号による指示を蓄電装置３が正常に実行できたか否かを知ることができる。また、テスト信号が指示する制御内容は、「充電」、「放電」、「監視」、「蓄電優先モード」、「経済優先モード」などが設定可能である。
【００６４】
すなわち、第２通信部２ｂが蓄電装置３から取得した当該蓄電装置３に関する情報を表示する表示部２ｆをさらに備えることが好ましい。
【００６５】
この場合、制御装置１がない場合でも、中継管理装置２において蓄電装置３に関する情報を表示することができるので、利便性が向上する。
【００６６】
また、中継管理装置２は、第２通信部２ｂからテスト用の制御信号を送信させて蓄電装置３のテスト動作を行うテスト部２ｈをさらに備えることが好ましい。この場合、表示部２ｆは、テスト動作の結果を表示することが好ましい。
【００６７】
したがって、蓄電システムＡ１の施工時などにおいて制御装置１が未設置である場合でも、中継管理装置２によって蓄電装置３の動作確認を行うことができる。
【００６８】
（実施形態２）
図２は、蓄電システムＡ２の全体構成を示す。蓄電システムＡ２において、中継管理装置２Ａは、制御設定部２ｉをさらに備える点が実施形態１の中継管理装置２とは異なる。なお、実施形態１と同様の構成には同一の符号を付して説明は省略する。
【００６９】
ここで、電力会社またはアグリゲータなどによって、電力ピークカットのためのデマンドレスポンスを用いたサービスが提案されている。このデマンドレスポンスは、商用電力に関して電力需要量が電力供給量に逼迫すると予測される場合、対象期間に商用電力の使用量を削減することを顧客に対して、デマンドレスポンス（Demand Response）信号を用いて予め要請する。このデマンドレスポンス信号は、上位サーバ２００から制御装置１へ送信される信号であり、電力削減要請に相当する。なお、以降においては、デマンドレスポンス信号をＤＲ信号と称す。
【００７０】
ＤＲ信号には、電力削減要請の対象期間、削減電力量の各情報が含まれる。対象期間は、商用電力の使用量削減（すなわち、商用電源８から需要家施設へ供給される商用電力の削減）を要請する期間である。削減電力量は、対象期間において要請される商用電力の削減電力量である。
【００７１】
そして、制御装置１は、ＤＲ信号を受信した場合、ＤＲ信号によって要請された削減電力量に基づいて、個別識別情報（個々の蓄電装置３）、グループ識別情報（複数の蓄電装置３からなるグループ）のそれぞれに、放電電力量を対応付ける。すなわち、個別識別情報、グループ識別情報のそれぞれに対応付けられた放電電力量の合計が、ＤＲ信号によって要請された削減電力量に等しくなる。制御装置１は、個別識別情報またはグループ識別情報と、この識別情報（個別識別情報またはグループ識別情報）に対応付けた放電電力量の情報と、対象期間の情報とを付加した第１制御信号を送信する。
【００７２】
たとえば、蓄電装置３１，３２，３３のそれぞれに個別識別情報「Ｘ１」，「Ｘ２」，「Ｘ３」が割り付けられている場合、ＤＲ信号を受信した制御装置１は、個別識別情報「Ｘ１」，「Ｘ２」，「Ｘ３」がそれぞれ設定された第１制御信号を送信する。
【００７３】
そして、中継管理装置２Ａは、第１制御信号に基づいて、蓄電装置３１，３２，３３のそれぞれに対して第２制御信号を送信する。この第２制御信号には、制御対象となる蓄電装置３の装置情報と、この制御対象に指示する放電電力量の情報と、対象期間の情報とが含まれている。蓄電装置３１，３２，３３のそれぞれでは、パワーコンディショナ３ａが、第２制御信号によって指示された対象期間において、指示された放電電力量を蓄電池３ｂから放電させる放電制御を行う。したがって、ＤＲ信号によって要請された削減電力量を、蓄電装置３１，３２，３３のそれぞれの放電電力で賄うことができる。
【００７４】
また、蓄電装置３１，３２，３３で構成されるグループに対してグループ識別情報「Ｇ１」が割り付けられている場合、ＤＲ信号を受信した制御装置１は、制御対象としてグループ識別情報「Ｇ１」が設定された第１制御信号を中継管理装置２Ａへ送信する。中継管理装置２Ａの制御設定部２ｉは、この第１制御信号に基づいて、グループを構成する蓄電装置３１，３２，３３のそれぞれに対する制御内容を設定する機能を備える。
【００７５】
たとえば、第１制御信号によって、蓄電装置３１，３２，３３からなるグループに対して１２ＫＷｈ（第１放電電力量）の放電電力量が割り当てられたと仮定する。制御設定部２ｉは、蓄電装置３１，３２，３３のそれぞれの放電電力量の合計が１２ＫＷｈに一致するように、蓄電装置３１，３２，３３のそれぞれに指示する放電電力量（第２放電電力量）を設定する。すなわち、制御設定部２ｉは、１２ＫＷｈを分割して蓄電装置３１，３２，３３のそれぞれに配分する。制御設定部２ｉによる具体的な配分方法としては、以下の第１配分方法、第２配分方法がある。
【００７６】
第１配分方法とは、グループを構成する複数の蓄電装置３の台数で１２ＫＷｈを除した値を、グループを構成する複数の蓄電装置３のそれぞれに指示する放電電力量（第２放電電力量）とする方法である。この方法では、第１制御信号が蓄電装置３１，３２，３３からなるグループに対して１２ＫＷｈの放電電力量を割り当てた場合、制御設定部２ｉは、蓄電装置３１，３２，３３のそれぞれに指示する放電電力量を４ＫＷｈに設定する。すなわち、蓄電装置３１，３２，３３のそれぞれに対して、放電電力量が均等に設定される。
【００７７】
第２配分方法とは、グループを構成する複数の蓄電装置３のそれぞれの優先順位に基づいて、グループを構成する複数の蓄電装置３１，３２，３３のそれぞれに指示する放電電力量（第２放電電力量）を設定する方法である。
【００７８】
まず、中継管理装置２Ａの第２通信部２ｂは残容量取得機能を備えており、蓄電装置３１，３２，３３のそれぞれのパワーコンディショナ３ａから、蓄電池３ｂの残容量の情報を定期的に取得して、記憶部２ｇに格納しておく。そして、制御設定部２ｉは、蓄電装置３１，３２，３３のそれぞれに対して、残容量が多いほど高い優先順位を設定する。ここでは、残容量が多い順に、蓄電装置３１→蓄電装置３２→蓄電装置３３であり、蓄電装置３１の優先順位を「１」、蓄電装置３２の優先順位を「２」、蓄電装置３３の優先順位を「３」とする。この方法では、第１制御信号が蓄電装置３１，３２，３３からなるグループに対して１２ＫＷｈの放電電力量を割り当てた場合、制御設定部２ｉは、優先順位が高いほど、指示する放電電力量（第２放電電力量）を多くする。具体的に、制御設定部２ｉは、蓄電装置３１に指示する放電電力量を６ＫＷｈに設定し、蓄電装置３２に指示する放電電力量を４ＫＷｈに設定し、蓄電装置３２に指示する放電電力量を２ＫＷｈに設定する。なお、制御設定部２ｉは、蓄電装置３１，３２，３３のそれぞれが放電可能な電力量に基づいて、蓄電装置３１，３２，３３のそれぞれに指示する放電電力量の上限値を決めていることが好ましい。
【００７９】
また、優先順位は、蓄電装置３１，３２，３３のそれぞれの用途（属性）によって決定されてもよい。たとえば、蓄電装置３１，３２の用途が電力需要のピーク抑制であり、蓄電装置３３の用途が停電時のバックアップであると仮定する。この場合、停電時のバックアップ用途で用いられる蓄電装置３３は、できるだけ満充電状態を維持するほうが好ましいことから、蓄電装置３１，３２に比べて優先順位を低くする。具体的に、制御設定部２ｉは、蓄電装置３１，３２に指示する放電電力量をそれぞれ５ＫＷｈに設定し、蓄電装置３３に指示する放電電力量を２ＫＷｈに設定する。
【００８０】
そして、中継管理装置２Ａは、蓄電装置３１，３２，３３のそれぞれに対して第２制御信号を送信する。第２制御信号には、制御対象となる蓄電装置３の装置情報と、この制御対象に指示する放電電力量の情報と、対象期間の情報を含む。蓄電装置３１，３２，３３のそれぞれでは、パワーコンディショナ３ａが、第２制御信号によって指示された対象期間において、指示された放電電力量を蓄電池３ｂから放電させる放電制御を行う。したがって、ＤＲ信号によって要請された削減電力量を、蓄電装置３１，３２，３３のそれぞれの放電電力で賄うことができる。
【００８１】
なお、制御設定部２ｉによる優先順位の決め方は、他の方法であってもよい。
【００８２】
上述の中継管理装置２Ａは、グループを構成する複数の蓄電装置３のそれぞれに指示する制御内容を設定する制御設定部２ｉをさらに備えることが好ましい。
【００８３】
この場合、中継管理装置２Ａは、同一グループ内の複数の蓄電装置３のそれぞれに指示する制御内容を、蓄電装置３毎に個別に設定できる。
【００８４】
また、グループ識別情報が付加された第１制御信号を第１通信部２ａが受信した場合、制御設定部２ｉは、第１制御信号に基づいて、グループを構成する複数の蓄電装置３のそれぞれに指示する制御内容を設定することが好ましい。そして、中継制御部２ｃは、グループを構成する複数の蓄電装置３のそれぞれに対して制御内容を指示する第２制御信号を第２通信部２ｂから送信させる。
【００８５】
この場合、中継管理装置２Ａは、グループ単位を制御対象とする第１制御信号に基づいて、複数の蓄電装置３のそれぞれに対応する制御内容を個別に設定できる。
【００８６】
また、第１制御信号によって第１放電電力量の放電がグループに対して指示されたと仮定する。この場合、制御設定部２ｉは、第１放電電力量を分割してグループを構成する複数の蓄電装置３のそれぞれに配分した第２放電電力量の放電を、グループを構成する複数の蓄電装置３のそれぞれに指示する制御内容として設定することが好ましい。
【００８７】
したがって、中継管理装置２Ａは、グループ単位を放電制御の対象とする第１制御信号に基づいて、複数の蓄電装置３のそれぞれに指示する放電電力量を個別に設定できる。
【００８８】
また、制御設定部２ｉは、グループを構成する複数の蓄電装置３の台数で第１放電電力量を除した値を、グループを構成する複数の蓄電装置３のそれぞれに対応する第２放電電力量とすることが好ましい。
【００８９】
この場合、中継管理装置２Ａは、グループを構成する複数の蓄電装置３に対して、放電電力量を均等に分配することができる。
【００９０】
また、制御設定部２ｉは、グループを構成する複数の蓄電装置３のそれぞれの優先順位に基づいて、グループを構成する複数の蓄電装置３のそれぞれに対応する第２放電電力量を設定することが好ましい。
【００９１】
この場合、中継管理装置２Ａは、蓄電装置３のそれぞれの優先順位に応じて、放電電力量を個別に設定することができる。したがって、中継管理装置２Ａは、蓄電装置３のそれぞれの状態、属性に応じて、放電電力量を個別に設定することができる。
【００９２】
また、制御設定部２ｉは、電力削減要請の対象期間の前に、個別設定またはグループ設定された制御対象となる蓄電装置３の蓄電池３ｂを充電制御して、対象期間において満充電状態の蓄電池３ｂを放電させることが好ましい。
【００９３】
（実施形態３）
図３は、蓄電システムＡ３の要部の構成を示す。蓄電システムＡ３において、蓄電装置３１，３２，３３では、パワーコンディショナ３ａが蓄電池３ｂの放電電力を変換した交流電力を、専用負荷６１，６２，６３に対してのみそれぞれ供給する。また、蓄電装置３１，３２，３３では、分電盤４から供給される交流電力を用いてパワーコンディショナ３ａが蓄電池３ｂを充電する。また、専用負荷６１，６２，６３のそれぞれの消費電力を測定する電力計測部７１，７２，７３がさらに設けられている。また、蓄電システムＡ３において、中継管理装置２Ｂは、負荷情報取得部２ｊをさらに備える点が実施形態２の中継管理装置２Ａとは異なる。なお、実施形態２と同様の構成には同一の符号を付して説明は省略する。
【００９４】
負荷情報取得部２ｊは、電力計測部７１，７２，７３から、専用負荷６１，６２，６３のそれぞれの消費電力の測定データ（電力データ）を定期的に取得して、記憶部２ｇに格納する。すなわち、記憶部２ｇには、専用負荷６１，６２，６３の電力データの履歴が格納される。なお、電力計測部７１，７２，７３は、専用負荷６１，６２，６３のそれぞれの所定時間当たりの消費電力量を、電力データとして作成してもよい。また、負荷情報取得部２ｊと電力計測部７１，７２，７３との間の信号伝送経路は、無線経路、有線経路のいずれであってもよい。
【００９５】
蓄電装置３１，３２，３３で構成されるグループに対してグループ識別情報「Ｇ１」が割り付けられている場合、ＤＲ信号を受信した制御装置１は、グループ識別情報「Ｇ１」が設定された第１制御信号を中継管理装置２へ送信する。
【００９６】
中継管理装置２の制御設定部２ｉは、電力データの履歴に基づいて、第１制御信号によって指示される電力削減要請の対象期間における専用負荷６１，６２，６３の消費電力量を推測することができる。
【００９７】
さらに、制御設定部２ｉは、電力データの履歴に基づいて、現在時刻から電力削減要請の対象期間の開始時刻までに消費すると推測される専用負荷６１，６２，６３のそれぞれの消費電力量を求めることができる。また、中継管理装置２Ｂの第２通信部２ｂは残容量取得機能を備えており、蓄電装置３１，３２，３３のそれぞれのパワーコンディショナ３ａから、蓄電池３ｂの残容量の情報を定期的に取得して、記憶部２ｇに格納している。したがって、制御設定部２ｉは、対象期間の開始時刻までに消費すると推測される専用負荷６１，６２，６３のそれぞれの消費電力量と、蓄電装置３１，３２，３３のそれぞれの蓄電池３ｂの残容量の情報から、対象期間の開始時における蓄電装置３１，３２，３３のそれぞれの蓄電池３ｂの残容量を推定できる。
【００９８】
そして、制御設定部２ｉは、第１制御信号によってグループに指示される放電電力量、対象期間における専用負荷６１，６２，６３の消費電力量の推定結果、蓄電装置３１，３２，３３のそれぞれの蓄電池３ｂの残容量に基づいて、蓄電装置３１，３２，３３のそれぞれに指示する制御内容を設定する。
【００９９】
たとえば、第１制御信号によって、蓄電装置３１，３２，３３からなるグループに対して１０ＫＷｈ（第１放電電力量）の放電が指示されたと仮定する。この場合、制御設定部２ｉは、以下の［条件１］［条件２］を満たすように、蓄電装置３１，３２，３３のそれぞれに指示する放電電力量（第２放電電力量）を設定する。なお、制御設定部２ｉは、以下の［条件１］［条件２］を同時に満たすことができない場合、いずれか一方の条件を優先して満たすように、蓄電装置３１，３２，３３のそれぞれに指示する放電電力量を設定する。
［条件１］蓄電装置３１，３２，３３のそれぞれに指示する放電電力量の合計が１０ＫＷｈに一致する。
［条件２］蓄電装置３１に指示する放電電力量が、対象期間における専用負荷６１の消費電力量にほぼ等しくなり、且つ対象期間の開始時における蓄電装置３１の残容量以下である。蓄電装置３２に指示する放電電力量が、対象期間における専用負荷６２の消費電力量にほぼ等しくなり、且つ対象期間の開始時における蓄電装置３２の残容量以下である。蓄電装置３３に指示する放電電力量が、対象期間における専用負荷６３の消費電力量にほぼ等しくなり、且つ対象期間の開始時における蓄電装置３３の残容量以下である。
【０１００】
すなわち、条件２は、指示された放電電力量で対象期間中の専用負荷６１，６２，６３を動作させることができ、且つ指示された放電電力量を賄うことができる残容量を、蓄電装置３１，３２，３３のそれぞれに確保しておくための条件である（放電電力量≒消費電力量≦残容量）。
【０１０１】
したがって、制御設定部２ｉは、第１制御信号によって指示される放電電力量を確保し、且つ専用負荷６１，６２，６３のそれぞれの動作を保証することができる放電動作を、蓄電装置３１，３２，３３のそれぞれに指示できる。
【０１０２】
また、制御設定部２ｉは、電力削減要請の対象期間の前に、個別設定またはグループ設定された制御対象となる蓄電装置３の蓄電池３ｂを充電制御して、対象期間において満充電状態の蓄電池３ｂを放電させることが好ましい。この場合、［条件１］［条件２］を同時に満たすことができる可能性が向上する。
【０１０３】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【０１０４】
Ａ１，Ａ２，Ａ３  蓄電値システム
１  制御装置
２，２Ａ，２Ｂ  中継管理装置
２ａ  第１通信部
２ｂ  第２通信部
２ｃ  中継制御部
２ｄ  識別情報設定部
２ｅ  操作部
２ｆ  表示部
２ｇ  記憶部
２ｈ  テスト部
２ｉ  制御設定部
２ｊ  負荷情報取得部
３  蓄電装置
３ａ  パワーコンディショナ
３ｂ  蓄電池
４  分電盤
５  負荷
６１，６２，６３  専用負荷
７１，７２，７３  電力計測部
８  商用電源
１００  広域ネットワーク
２００  上位サーバ
Ｌ１  電力系統
Ｌ２  分岐回路
【図１】
0006516156.tif 000004
【図２】
0006516156.tif 000005
【図３】
0006516156.tif 000006